(57)【要約】【課題】  効率性と利便性を高めるモバイルインターカムシステム及びその方法を提供する。【解決手段】主にリモートワイヤレス伝送機能を提供し、ゲストメッセージを伝送し、該モバイルインターカムシステムは少なくともインターカム装置、ワイヤレスベースステーション及びモバイル通信装置を含み、インターカム装置によりゲストメッセージをワイヤレスベースステーションに伝送し、さらに該ワイヤレスベースステーションにより該ゲストメッセージを該モバイル通信装置に伝送する。これにより、該モバイル通信装置はゲストメッセージを受信後、該ワイヤレスベースステーションによりインターカム機能を実行することができる。【選択図】  図２
2007159102.tif 000002
【特許請求の範囲】
【請求項１】
主に少なくともワイヤレスベースステーション、インターカム装置、モバイル通信装置を含み、
前記インターカム装置は前記ワイヤレスベースステーションを通してゲストメッセージを伝送し、前記インターカム機能を実行し、
前記モバイル通信装置は前記ワイヤレスベースステーションを通して該ゲストメッセージを受信し、前記インターカム機能を実行することを特徴とするモバイルインターカムシステム。
【請求項２】
前記ワイヤレスベースステーションは、前記ゲストメッセージを受領し、リモートワイヤレス伝送機能を実現することを特徴とする請求項１記載のモバイルインターカムシステム。
【請求項３】
前記インターカム装置及び前記モバイル通信装置は、前記ワイヤレスベースステーションを利用し該インターカム機能を実現することを特徴とする請求項１記載のモバイルインターカムシステム。
【請求項４】
前記インターカム機能は影像相互伝送機能及び音声対話機能を含むことを特徴とする請求項１記載のモバイルインターカムシステム。
【請求項５】
前記インターカム装置はドアベルボタンを含み、該ゲストメッセージを提供することを特徴とする請求項１記載のモバイルインターカムシステム。
【請求項６】
前記インターカム装置は第一出入力ユニットを含み、該インターカム機能の実行を提供することを特徴とする請求項１記載のモバイルインターカムシステム。
【請求項７】
前記インターカム装置は第一レシーブユニットを含み、ワイヤレス伝送プロトコルを使用しリモートワイヤレス伝送機能を実行することを特徴とする請求項１記載のモバイルインターカムシステム。
【請求項８】
前記モバイル通信装置は携帯電話端末であることを特徴とする請求項１記載のモバイルインターカムシステム。
【請求項９】
前記モバイル通信装置は第二出入力ユニットを含み、該インターカム機能の実行を提供することを特徴とする請求項１記載のモバイルインターカムシステム。
【請求項１０】
前記モバイル通信装置は第二レシーブユニットを含み、ワイヤレス伝送プロトコルを使用しリモートワイヤレス伝送機能を実行することを特徴とする請求項１記載のモバイルインターカムシステム。
【請求項１１】
主にモバイルインターカムシステム中に用い、該インターカム方法は少なくとも以下のステップを含み、
インターカム装置を利用しゲストメッセージを伝送し、
ワイヤレスベースステーションを通して該ゲストメッセージを伝送し、
モバイル通信装置を利用し該ゲストメッセージを受信し、
該ゲストメッセージの受信によりインターカム機能を実行することを特徴とするモバイルインターカム方法。
【請求項１２】
前記ワイヤレスベースステーションはリモートワイヤレス伝送機能を実現することを特徴とする請求項１１記載のモバイルインターカム方法。
【請求項１３】
前記インターカム方法はさらに携帯電話端末を該モバイル通信装置とすることを特徴とする請求項１１記載のモバイルインターカム方法。
【請求項１４】
前記インターカム方法はさらに影像相互伝送機能及び音声対話機能を該インターカム機能中に提供することを特徴とする請求項１１記載のモバイルインターカム方法。
【発明の詳細な説明】
【技術分野】
【０００１】
本発明は一種のモバイルインターカムシステム及びモバイルインターカムの方法に関する。特にワイヤレスベースステーションを利用し、インターカム装置及びモバイル通信装置を連結し、リモートワイヤレス伝送機能を利用し、ゲストメッセージを伝送するモバイルインターカムシステム及びその方法に係る。
【背景技術】
【０００２】
科学技術の進歩に従い、生活の利便性に対する人々の要求はますます高くなっている。これに伴いドアベルインターカム装置と家庭用電話機を連結した製品が広く普及している。該製品では使用者は電話機を利用し訪問者と対話し、電話機のボタンをドアロックのスイッチとし、使用上の利便性を増強し、しかも予め訪問者の訪問目的を知り安全を確保することができる。
また、一部のドアベルシステム業者は 、ドア等に設置するドアベルインターカム（インターコミュニケーションシステム：親機と子機構成の通話装置）装置をテレビ端子に接続する設計を提供している。該装置ではドアベルインターカム装置上にビデオカメラを設置し、訪問者がドアベルインターカム装置のボタンを押すと、テレビのスクリーン上にビデオカメラが撮影した影像が表示され、こうして使用者にさらなる利便性と安全を提供する(例えば、特許文献１)。
しかし、図１に示すように、電話機11は通常は固定位置に配置され、訪問者がドアベルインターカム装置12を利用し使用者と対話しようとする時、使用者がちょうど料理を作っている或いはトイレにいるような時には、該電話機11を配置する固定位置まで移動して、初めてインターカム及びロック解除動作を行うことができる。さらに、電話機をワイヤレス受信端とするため、外出後の訪問者や重要な郵便物等を受け取り損なってしまうという問題がある。これは効率と利便性を重視する使用者にとっては、解決が急務の問題である。
【特許文献１】特開平８−３６６８６号公報
【発明の開示】
【発明が解決しようとする課題】
【０００３】
公知構造には以下の欠点があった。
すなわち、ドアベルインターカム装置と家庭用電話機を連結する構造では、電話機は通常は固定位置に配置されるため、訪問者がドアベルインターカム装置を利用し使用者と対話しようとする時、使用者は一々該電話機を配置する固定位置まで移動し対応する動作を行う必要があった。さらに、家庭用電話機を受信端とするため、外出後には訪問者や郵便物に対応することができず、効率性と利便性が低いと言わざるを得ない。
本発明は、上記構造の問題点を解決したもので、使用者が一々該電話機を配置する固定位置まで移動しなくても、また、外出後の訪問者や郵便物に対応することができ、効率性と利便性を高めるモバイルインターカムシステム及びモバイルインターカムの方法を提供するものである。
【課題を解決するための手段】
【０００４】
上記課題を解決するため、本発明は下記のモバイルインターカムシステム及びその方法を提供する。
それは、主にモバイルインターカムシステムを提供し、ワイヤレスベースステーションを利用し、インターカム装置及びモバイル通信装置を連結し、リモートワイヤレス伝送機能を使用し、ゲストメッセージをモバイル通信装置に伝送し、これにより、使用者に訪問者の来訪を通知し、さらに訪問者とインターカム動作を行うことができ、すなわちそのモバイルインターカムシステムはインターカム装置、ワイヤレスベースステーション、モバイル通信装置を含み、該インターカム装置はドアベル機能を具え、該ドアベル機能によりゲストメッセージを発生し、しかも予め設定したインターカム装置の転送資料によるだけで、即ゲストメッセージをワイヤレス伝送方式によりワイヤレスベースステーションに伝送することができ、該ワイヤレスベースステーションは該ゲストメッセージを予め設定したモバイル通信装置に伝送し、これにより使用者は外出中であってもゲストメッセージを知ることができ、さらに該インターカム装置及び該モバイル通信装置が提供するインターカム機能は音声対話機能を含む他、さらに影像相互伝送機能を含み、これにより、生活の安全を保障することを特徴とするモバイルインターカムシステム及びその方法である。
【０００５】
すなわち、請求項１の発明は、主に少なくともワイヤレスベースステーション、インターカム装置、モバイル通信装置を含み、前記インターカム装置は前記ワイヤレスベースステーションを通してゲストメッセージを伝送し、前記インターカム機能を実行し、前記モバイル通信装置は前記ワイヤレスベースステーションを通して該ゲストメッセージを受信し、前記インターカム機能を実行することを特徴とするモバイルインターカムシステムである。
【０００６】
請求項２の発明は、前記ワイヤレスベースステーションは、前記ゲストメッセージを受領し、リモートワイヤレス伝送機能を実現することを特徴とする請求項１記載のモバイルインターカムシステムである。
請求項３の発明は、前記インターカム装置及び前記モバイル通信装置は、前記ワイヤレスベースステーションを利用し該インターカム機能を実現することを特徴とする請求項１記載のモバイルインターカムシステムである。
請求項４の発明は、前記インターカム機能は影像相互伝送機能及び音声対話機能を含むことを特徴とする請求項１記載のモバイルインターカムシステムである。
請求項５の発明は、前記インターカム装置はドアベルボタンを含み、該ゲストメッセージを提供することを特徴とする請求項１記載のモバイルインターカムシステムである。
請求項６の発明は、前記インターカム装置は第一出入力ユニットを含み、該インターカム機能の実行を提供することを特徴とする請求項１記載のモバイルインターカムシステムである。
請求項７の発明は、前記インターカム装置は第一レシーブユニットを含み、ワイヤレス伝送プロトコルを使用しリモートワイヤレス伝送機能を実行することを特徴とする請求項１記載のモバイルインターカムシステムである。
請求項８の発明は、前記モバイル通信装置は携帯電話端末であることを特徴とする請求項１記載のモバイルインターカムシステムである。
請求項９の発明は、前記モバイル通信装置は第二出入力ユニットを含み、該インターカム機能の実行を提供することを特徴とする請求項１記載のモバイルインターカムシステムである。
請求項１０の発明は、前記モバイル通信装置は第二レシーブユニットを含み、ワイヤレス伝送プロトコルを使用しリモートワイヤレス伝送機能を実行することを特徴とする請求項１記載のモバイルインターカムシステムである。
【０００７】
請求項１１の発明は、主にモバイルインターカムシステム中に用い、該インターカム方法は少なくとも以下のステップを含み、インターカム装置を利用しゲストメッセージを伝送し、ワイヤレスベースステーションを通して該ゲストメッセージを伝送し、モバイル通信装置を利用し該ゲストメッセージを受信（受領）し、該ゲストメッセージの受信によりインターカム機能を実行することを特徴とするモバイルインターカム方法である。
請求項１２の発明は、前記ワイヤレスベースステーションはリモートワイヤレス伝送機能を実現することを特徴とする請求項１１記載のモバイルインターカム方法である。
請求項１３の発明は、前記インターカム方法はさらに携帯電話端末を該モバイル通信装置とすることを特徴とする請求項１１記載のモバイルインターカム方法である。
請求項１４の発明は、前記インターカム方法はさらに影像相互伝送機能及び音声対話機能を該インターカム機能中に提供することを特徴とする請求項１１記載のモバイルインターカム方法である。
【発明の効果】
【０００８】
上記のように、本発明はドアベル機能を具えたインターカム装置とモバイル通信装置を組み合わせ運用し、ワイヤレスベースステーションを通してモバイル通信装置はインターカム装置とインターカム動作を行うことができ、使用者が一々該電話機を配置する固定位置まで行かなくても、また、外出後にインターカム装置への訪問者や郵便物に対応することができ、効率及び利便性を向上させることができる。
【発明を実施するための最良の形態】
【０００９】
本発明の実施例の好適なモバイルインターカムシステム、及び、モバイルインターカムの方法を図面に沿って説明する。
本発明の実施例のモバイルインターカムシステムの指示図である図２に示すように、該モバイルインターカムシステムは通話手段であるインターカム装置21、ワイヤレスベースステーション22、モバイル通信装置23から構成される。
前記インターカム装置21はドアベル機能を具え、しかも予め資料転送を設定することができるため、ドアベル機能により使用者に訪問者の来訪を通知する時、該インターカム装置21はワイヤレス伝送方式によりゲストメッセージを該ワイヤレスベースステーション22に伝送する。
前記ワイヤレスベースステーション22は電信業者により提供し、該インターカム装置21が予め設定した転送資料に基づき、ゲストメッセージをワイヤレス伝送方式により予め設定したモバイル通信装置23に伝送する。こうして、本発明の実施例のモバイルインターカムシステムにおいてリモートワイヤレス伝送機能を実現する。
前記モバイル通信装置23はワイヤレス伝送方式によりゲストメッセージを受信し、使用者に訪問者があることを通知し、しかも該モバイル通信装置23の通信機能はインターカム機能の実行することができる。該モバイル通信装置23は通常は携帯電話端末である。
【００１０】
さらに、本発明の実施例のインターカム装置及びモバイル通信装置のブロックチャートである図３に示すように、該インターカム装置21はドアベルボタン31、第一出入力ユニット32、第一レシーブユニット33を含むことから構成される。
前記モバイル通信装置23は第二レシーブユニット34、第二出入力ユニット35を含む。
前記ドアベルボタン31により該インターカム装置21は、ドアベル機能を実行可能で、これによりインターカム装置21からのゲストメッセージを生じさせる。
前記第一出入力ユニット32は、スピーカーとマイクを含む他、さらにビデオカメラとスクリーンを設置し、スピーカーとマイク等の音声対話及びビデオカメラとスクリーン等の影像相互伝送等機能を提供することができる。
前記第一レシーブユニット33は予め設定した転送資料により、リモートワイヤレス伝送動作を実行し、該ワイヤレスベースステーション22により該モバイル通信装置23間とゲストメッセージの伝送、及びインターカム機能の実行を提供することができる。
前記第二レシーブユニット34は該ワイヤレスベースステーション22を通して該第一レシーブユニット33が伝送したゲストメッセージを受け取り、さらに該ワイヤレスベースステーション22を通してインターカム機能の実行を提供することができる。
前記第二出入力ユニット35はスクリーン、カメラレンズ、スピーカー、マイクを含み、音声対話及び影像相互伝送等機能の実行を提供する。
【００１１】
本発明の実施例のインターカム方法のステップフローチャートである図４、本発明の実施例のインターカム方法に基づく使用指示図である図５に示すように、本方法は以下のステップを含む。
ステップ410：インターカム装置を利用し、ゲストメッセージをワイヤレスベースステーションに伝送する。
ステップ420：ワイヤレスベースステーションを通してゲストメッセージを受信し、モバイル通信装置に伝送する。
ステップ430：モバイル通信装置を利用しゲストメッセージを受信する。
ステップ440：ゲストメッセージの受信により、インターカム機能を実行する。
上記ステップにおいて、予めインターカム装置の転送資料を設定し、これによりインターカム装置はワイヤレス伝送方式によりゲストメッセージをワイヤレスベースステーションに伝送する。該ワイヤレスベースステーションは転送資料に基づき、該ゲストメッセージを予め設定したモバイル通信装置に伝送し、こうしてリモートワイヤレス伝送機能を実現する。実行されるインターカム機能は影像相互伝送機能及び音声対話機能を含み、しかも携帯電話端末をモバイル通信装置として利用し、ワイヤレスベースステーションが伝送するゲストメッセージを受領し、及びインターカム機能を提供することができる。
【００１２】
さらに、図５に示すように、本発明の実施例のインターカム方法を用いれば、使用者が料理中51或いはトイレ内52、或いは外出中であっても、すべて該インターカム装置21、該ワイヤレスベースステーション及び該モバイル通信装置23を利用し、リモート伝送機能を実現することができる。こうして使用者は即時訪問者の来訪を知ることができ、しかもインターカム及びロック解除等動作を実行することができる。
なお、本発明の特徴を損なうものでなければ、上記実施例に限定されるものでないことは、勿論である。
【図面の簡単な説明】
【００１３】
【図１】公知のドアベルシステムの指示図である。
【図２】本発明の実施例のモバイルインターカムシステムの指示図である。
【図３】本発明の実施例のインターカム装置及びモバイル通信装置のブロックチャートの図である。
【図４】本発明の実施例におけるインターカム方法のステップフローチャートの図である。
【図５】本発明実施例におけるインターカム方法に基づく使用指示図である。
【符号の説明】
【００１４】
11  電話機
12  ドアベルインターカム装置
21  インターカム装置
22  ワイヤレスベースステーション
23  モバイル通信装置
31  ドアベルボタン
32  第一出入力ユニット
33  第一レシーブユニット
34  第二レシーブユニット
35  第二出入力ユニット
410~440  ステップ
51  料理中
52  トイレ内
【図１】
2007159102.tif 000003
【図２】
2007159102.tif 000004
【図３】
2007159102.tif 000005
【図４】
2007159102.tif 000006
【図５】
2007159102.tif 000007